(57)【要約】【課題】磁気テープとハブとの接続部分における形状転写を解消することにより、形状転写に伴う記録信号のドロップアウトを一掃し、コンピューターデーターのバックアップ媒体として好適な高速−高密度型のテープカートリッジを提供する。【解決手段】本体ケース１の内部に、テープ供給側のハブ２と、テープ巻取側のハブ３と、テープ供給側のハブ２に巻装される磁気テープ４とを備えている。テープ巻取側のハブ３に固定したリーダーテープ１４と、磁気テープ４の一端とは、スプライシングテープ１５を介して接続する。磁気テープ４の他端はテープ供給側のハブ２に巻装して、磁気テープ４とテープ供給側のハブ２とを接着剤で直接接続する。テープ供給側のハブ２に巻装した満巻状態のテープ巻層は、所定量のテープ巻層からなる巻き始端側の無記録層Ｍ１と、無記録層Ｍ１に連続する記録層Ｍ２とで構成する。テープ供給側のハブにおける磁気テープ４の繰り出し限界位置は、無記録層Ｍ１と記録層Ｍ２との境界付近に設定する。【選択図】図２
2005302113.tif 000002
【特許請求の範囲】
【請求項１】
本体ケースの内部に、テープ供給側のハブと、テープ巻取側のハブと、テープ供給側のハブに巻装される磁気テープとを備えている、コンピューターデーターのバックアップ媒体として使用されるテープカートリッジであって、
テープ巻取側のハブに固定したリーダーテープと磁気テープの一端とが、スプライシングテープを介して接続されており、
磁気テープの他端をテープ供給側のハブに巻装して、磁気テープとテープ供給側のハブとが直接接続されており、
テープ供給側のハブに巻装したテープ巻層が、所定量のテープ巻層からなる巻き始端側の無記録層と、無記録層に連続する記録層とで構成されており、
テープ供給側のハブにおける磁気テープの繰り出し限界位置が、前記無記録層と前記記録層との境界付近に設定されていることを特徴とするテープカートリッジ。
【請求項２】
磁気テープの端部が、テープ供給側のハブの周面に水および接着剤のいずれかを介して接着されている請求項１記載のテープカートリッジ。
【請求項３】
前記無記録層が、隣接するテープ面どうしの摩擦抵抗で巻き姿を維持できる量の磁気テープで構成してある請求項１または２記載のテープカートリッジ。
【発明の詳細な説明】
【技術分野】
【０００１】
本発明は、コンピューターデーターのバックアップ媒体として使用されるテープカートリッジ、なかでも本体ケースの内部にテープ供給側のハブと、テープ巻取側のハブとを備えている２リール型のテープカートリッジ（ＤＤＳシリーズ）に関する。
【背景技術】
【０００２】
２リール型のテープカートリッジにおいては、磁気テープの端部がそれぞれリーダーテープを介してハブに接続されている。殆どの場合、磁気テープとリーダーテープとはスプライシングテープを介して接続し、リーダーテープの巻き始端はハブ周面に係合装着されるテープクランプで固定している。このような、従来のテープ接続構造においては、テープクランプの装着部分や、スプライシングテープの貼り付け部分において僅かな段差が生じるのを避けられない、これらの段差形状が磁気テープに転写されてくせ付けされる結果、記録信号を読み書きする際にドロップアウトを生じる一因になっている。
【０００３】
上記のような、磁気テープに対する形状転写を防ぐために、テープクランプおよびスプライシングテープを使用せずに、磁気テープやリーダーテープの巻き始端をハブに直接に接続することが提案されている（特許文献１、２、３参照）。特許文献１では、ハブの周面に円筒状の緩衝部を形成し、その周面にリーダーテープを接着剤を介して接着している。特許文献２では、予め接着剤が塗布してある磁気テープ端をハブ周面に接着し、さらにテープ端を磁気テープの導出基端に接着している。特許文献３では、リーダーテープの巻き始端をハブに直接接着している。
【０００４】
【特許文献１】特開２００２−２５２１８号公報（段落番号００２２、図６）
【特許文献１】特開平６−１９５９３０号公報（段落番号００１１、図１）
【特許文献１】特開平５−３３４８４３号公報（段落番号０００８、図１）
【発明の開示】
【発明が解決しようとする課題】
【０００５】
特許文献１、３においてはリーダーテープをハブに直接、あるいは緩衝部を介して接着するので、テープクランプを用いてテープ端を固定する際の形状転写を防止できる。しかし、リーダーテープと磁気テープとをスプライシングテープを介して接続する必要があるので、スプライシングテープの厚み分の段差に基づく形状転写を避けることができない。その点、特許文献２では磁気テープを直接ハブに接着するので、スプライシングテープの影響を避けることができる。しかし、磁気テープを全て繰り出した状態において、磁気テープに大きなテープ張力が作用するので、長期使用時の耐久性に問題がある。テープ端を磁気テープの導出基端に接着固定するので、巻き始端にテープ厚み分の段差が生じるのを避けられない。
【０００６】
本発明が対象とするテープカートリッジは、一般的なテープカートリッジに比べて、信号記録密度と、記録信号の読み書き速度（転送速度）とが格段に高いが、コンピューターのハードディスク容量の向上に伴って、より大量のバックアップデータをさらに速い速度で読み書きできるテープシステムと、該当システムに適合できるテープカートリッジが要望されている。このような高速−高密度型のテープカートリッジでは、ベーステープを薄くすることで記録容量を向上することもあって、先の形状転写を生じやすく、形状転写に伴うドロップアウトをいかに解消するかが課題となる。
【０００７】
本発明の目的は、磁気テープとハブとの接続構造を好適化し、形状転写に伴う記録信号のドロップアウトを一掃し、コンピューターデーターのバックアップ媒体として好適な高速−高密度型のテープカートリッジを提供することにある。
【課題を解決するための手段】
【０００８】
本発明のテープカートリッジは、本体ケース１の内部に、テープ供給側のハブ２と、テープ巻取側のハブ３と、テープ供給側のハブ２に巻装される磁気テープ４とを備えていて、コンピューターデーターのバックアップ媒体として使用される。テープ巻取側のハブ３に固定したリーダーテープ１４と磁気テープ４の一端とは、スプライシングテープ１５を介して接続されている。磁気テープ４の他端はテープ供給側のハブ２に巻装して、磁気テープ４とテープ供給側のハブ２とを直接接続する。テープ供給側のハブ２に巻装したテープ巻層は、所定量のテープ巻層からなる巻き始端側の無記録層Ｍ１と、無記録層Ｍ１に連続する記録層Ｍ２とで構成する。そして、テープ供給側のハブ２における磁気テープ４の繰り出し限界位置が、無記録層Ｍ１と記録層Ｍ２との境界付近に設定されていることを特徴とする。
【０００９】
磁気テープ４の端部は、テープ供給側のハブ２の周面に水および接着剤１７のいずれかを介して接着することができる。
【００１０】
無記録層Ｍ１は、隣接するテープ面どうしの摩擦抵抗で巻き姿を維持できる量の磁気テープ４で構成することができる。
【発明の効果】
【００１１】
本発明では、磁気テープ４の一端とテープ巻取側のハブ３とをリーダーテープ１４を介して接続し、磁気テープ４の他端をテープ供給側のハブ２に直接巻装することにより接続した。そのうえで、テープ供給側のハブ２に巻装したテープ巻層を、所定量の磁気テープ４が巻かれた巻き始端側の無記録層Ｍ１と、無記録層Ｍ１に連続する記録層Ｍ２とで構成して、テープ供給側のハブ２における磁気テープ４の繰り出し限界位置を、無記録層Ｍ１と記録層Ｍ２との境界付近に設定した。このように、磁気テープ４の端部がテープ供給側のハブ２に直接に巻装されていると、巻き始端において磁気テープ４の厚み分の段差が生じるものの、例えばテープクランプ１３を用いて磁気テープ４を固定する場合に比べて段差寸法を著しく小さくできる。しかも、この段差はハブ２に巻かれた無記録層Ｍ１で吸収されて、無記録層Ｍ１の最外周では無視できるほどに整形される。したがって、段差を整形できる量のテープ巻層を含んで無記録層Ｍ１を設けておくことにより、段差に伴う形状転写を解消し、形状転写に伴う記録信号のドロップアウトを一掃でき、コンピューターデーターのバックアップ媒体として好適な高速−高密度型のテープカートリッジが得られる。
【００１２】
バックアップデータを記録層Ｍ２に限って記録し、記録層Ｍ２を繰り出し終わった時点でテープ供給を停止して、常に無記録層Ｍ１が供給側のハブ２に残るようにするので、磁気テープ３を供給側のハブ２に単に巻装しているにもかかわらず、記録層Ｍ２の全量を繰り出し供給した状態において、磁気テープ３が供給側のハブ２から分離するのを確実に防止し、磁気テープ４の巻き戻し操作を確実に行える。
【００１３】
磁気テープ４の端部が、テープ供給側のハブ２の周面に水および接着剤１７のいずれかを介して接着し、その状態で巻装されていると、磁気テープ４の巻き込み操作を簡便化できるうえ、テープクランプや、その装着凹部などを省略できる分だけテープ接続構造を簡略化できる。磁気テープ４が巻かれるハブ２の周面形状を継ぎ目のない円形にできるので、磁気テープ４を整然とハブ２に巻装し、記録層Ｍ２における情報信号のドロップアウトを確実に防止できる。
【００１４】
隣接するテープ面どうしの摩擦抵抗で巻き姿を維持できる量の磁気テープ４で無記録層Ｍ１が構成されていると、テープドライブの故障等によって、記録層Ｍ２が全量繰り出された状態のままでテープカートリッジがテープドライブからイジェクトされるような場合でも、無記録層Ｍ１が弛んでハブ２から分離するのを阻止できる。
【発明を実施するための最良の形態】
【００１５】
図１ないし図３は本発明に係るテープカートリッジの実施例を示す。図１においてテープカートリッジは、本体ケース１の内部左右にテープ供給側のハブ２と、テープ巻取側のハブ３を配置してあり、テープ供給側のハブ２に巻装した磁気テープ４をテープ巻取側のハブ３へ繰り出し送給して情報信号を記録できる。本体ケース１の前部にはテープローディング用のポケット５を設けてある。テープ供給側のハブ２から繰り出された磁気テープ４は、ポケット５の両側に配置したテープガイド６・６を介してテープ巻取側のハブ３へ送給される。
【００１６】
テープローディング用のポケット５は前蓋９で揺動開閉でき、さらに本体ケース１の下面側に配置したシャッター１０でスライド開閉できる。符号１１はシャッター１０を閉じ勝手にスライド付勢するばねである。前蓋９とシャッター１０とは、テープカートリッジをテープドライブに装填することで開放操作されるが、このとき、図外のハブロック機構がロック解除操作されて、両ハブ２・３を回転可能な状態に切り換わる。
【００１７】
磁気テープ４と各ハブ２・３とは次のように接続した。図３においてテープ巻取側のハブ３に係合装着されるテープクランプ１３で、透明のリーダーテープ１４の一端をハブ３に固定し、リーダーテープ１４の他端をスプライシングテープ１５で磁気テープ４に接続する。磁気テープ４の他端はテープ供給側のハブ２に直接に巻装する。具体的には、テープ供給側のハブ２の周面に接着剤１７を塗布しておき、磁気テープ４の端部をテープ供給側のハブ２の周面に巻き付けて接着固定する。なお、テープカートリッジの製造時には、磁気テープ４が巻装された供給側のハブ２と、リーダーテープ１４が固定してある巻取側のハブ３とを本体ケース１内に組み込んだのち、磁気テープ４の繰り出し端をリーダーテープ１４にスプライシングテープ１５で接続する。
【００１８】
上記のように、磁気テープ４の端部がテープ供給側のハブ２の周面に直接に接着されていると、巻き始端において磁気テープ４の厚み分の段差が生じるものの、例えばテープクランプ１３を用いて磁気テープ４を固定する場合に比べて段差寸法を著しく小さくできる。この段差は、巻き始端から数回磁気テープ４を巻装すると、殆ど無視できるほどに整形されるので、この整形される部分を含んで後述する無記録層Ｍ１を設定しておくことにより、先の段差に伴う形状転写を一掃できる。
【００１９】
常態における磁気テープ４は、テープ供給側のハブ２に巻装した状態で保存される。例えば、ハードディスクに記録されたデーターをバックアップする場合には、磁気テープ４を巻取側のハブ３で巻き取りながら情報信号を記録する。信号の記録が終了したら、磁気テープ４を再び供給側のハブ２に巻き戻して保管する。このとき、供給側のハブ２に巻装した磁気テープ４の全てを繰り出すと、磁気テープ４の端部がハブ２から分離して、巻取側のハブ３に巻き込まれるおそれがある。
【００２０】
上記のような事態を避けるために本発明では、図２に示すように、満巻き状態のテープ巻層を、所定量のテープ巻層からなる巻き始端側の無記録層Ｍ１と、無記録層Ｍ１に連続する記録層Ｍ２とで構成して、テープ供給側のハブ２における磁気テープ４の繰り出し限界位置を、無記録層Ｍ１と記録層Ｍ２との境界付近に設定した。つまり、満巻き状態の記録層Ｍ２を繰り出し終わった時点でテープ供給を停止して、常に無記録層Ｍ１が供給側のハブ２に残るようにする。当然、バックアップデータは記録層Ｍ２に限って記録する。記録層Ｍ２を繰り出し終わったことは、テープドライブ側で判断する。例えば、いずれか一方のハブ２（または３）が記録開始から何回転したかをカウントし、あるいは一定速度で送給される磁気テープ４の送給量をテープドライブに設けたセンサーで直接に検知して、記録層Ｍ２の繰り出し完了を判断する。
【００２１】
無記録層Ｍ１を形成する磁気テープ４の長さは短いほど無駄がないが、先に説明したように、少なくとも磁気テープ４の巻き始端の段差が整形される長さを備えていればよい。好ましくは、ハブ２に巻き付けた磁気テープ４の隣接するテープ面どうしの摩擦抵抗によって、巻き姿を維持できる量の磁気テープ４で構成する。
【００２２】
上記構成のテープカートリッジによれば、磁気テープ４の厚み分に相当する段差の影響を無記録層Ｍ１によって吸収し排除できるので、形状転写に伴う記録信号のドロップアウトを一掃できる。したがって、コンピューターデーターのバックアップ媒体として好適な高速−高密度型のテープカートリッジが得られる。
【００２３】
上記の実施例以外に、接着剤１７に代えて、テープ供給側のハブ２の周面に水を塗布して、磁気テープ４の端部をテープ供給側のハブ２の周面に巻き付けることができる。片方のハブ２の下面側にフランジを設け、他方のハブ３の上面側にフランジを設けて、各ハブ２・３に巻き込んだ状態における磁気テープ４の巻き姿を整えることができる。
【００２４】
上記の実施例では、供給側のハブ２の周面に接着剤１７を塗布して磁気テープ４を固定したが、磁気テープ４側に接着剤１７を塗布してハブ２に接着してもよい。また、無記録層Ｍ１を形成する磁気テープ４の片面全体に接着剤を塗布した状態で、磁気テープ４を供給側のハブ２に巻装して、無記録層Ｍ１の全体をひとつのかたまりとして形成することができる。
【図面の簡単な説明】
【００２５】
【図１】テープカートリッジの概略構造を示す内部平面図である。
【図２】テープ巻層の構造を示す平面図である。
【図３】磁気テープとハブとの接続構造を示す分解斜視図である。
【符号の説明】
【００２６】
１  本体ケース
２  テープ供給側のハブ
３  テープ巻取側のハブ
４  磁気テープ
１４  リーダーテープ
１５  スプライシングテープ
１７  接着剤
Ｍ１  無記録層
Ｍ２  記録層
【図１】
2005302113.tif 000003
【図２】
2005302113.tif 000004
【図３】
2005302113.tif 000005